(57)【特許請求の範囲】
【請求項１】
移動局が複数の無線通信システムで通信可能な移動通信システムであって、
前記移動局は、
前記各無線通信システムで無線通信を行う通信手段と、
サービスエリア内に入った際にアクセスする無線通信システムを記憶する記憶手段と、
一様乱数を生成する乱数生成手段と、
いずれかの無線通信システムにアクセスした際に通知される制御チャネルに含まれる任意の数値と前記生成された一様乱数とを組み合わせて演算を行う演算手段と、
前記演算手段により演算された演算結果に基づいて前記複数の無線通信システムからいずれか一つの無線通信システムを選択する第１選択手段とを備え、
前記各無線通信システムは、
前記移動局がいずれか一つの無線通信システムを決定するための任意の数値を含んだ情報を生成する情報生成手段と、
前記移動局がアクセスしてきた際、制御チャネルを用いて前記情報生成手段により生成された情報を前記移動局に通知する通知手段とを備え、
前記移動局は、前記選択した無線通信システムで待ち受け状態に移行することを特徴とする移動通信システム。
【請求項２】
移動局が複数の無線通信システムで通信可能な移動通信システムであって、
前記移動局は、
前記各無線通信システムで無線通信を行う通信手段と、
一様乱数を生成する乱数生成手段と、
待ち受け状態において、制御チャネルで通知される任意の数値と前記生成された一様乱数とを組み合わせて演算を行う演算手段と、
前記演算手段により演算された演算結果に基づいて、前記複数の無線通信システムからいずれか一つの無線通信システムを選択する第２選択手段と、
待ち受け状態において、待ち受ける無線通信システムを変更する変更手段とを備え、
前記各無線通信システムは、
前記移動局がいずれか一つの無線通信システムを決定するための任意の数値を含んだ情報を生成する情報生成手段と、
前記待ち受け状態にある移動局に対し、制御チャネルを用いて前記情報生成手段により生成された情報を通知する通知手段とを備え、
前記移動局は、前記選択した無線通信システムが、待ち受け状態にある無線通信システムと異なる場合は、待ち受ける無線通信システムを前記選択した無線通信システムに変更することを特徴とする移動通信システム。
【請求項３】
移動局が複数の無線通信システムで通信可能な移動通信システムであって、
前記移動局は、
前記各無線通信システムで無線通信を行う通信手段と、
サービスエリア内に入った際にアクセスする無線通信システムを記憶する記憶手段と、
いずれかの無線通信システムにアクセスした際に通知される制御チャネルに含まれる前記移動局が属する移動局群を指定する情報に基づいて、自らが属する移動局群を判断する判断手段と、
前記判断手段により前記情報に前記移動局が指定されていると判断された場合にのみ前記複数の無線通信システムからいずれか一つの無線通信システムを選択する第１選択手段とを備え、
前記各無線通信システムは、
前記移動局がいずれか一つの無線通信システムを決定するための、前記移動局が属する移動局群を指定する情報を生成する情報生成手段と、
前記移動局がアクセスしてきた際、制御チャネルを用いて前記情報生成手段により生成された情報を前記移動局に通知する通知手段とを備え、
前記移動局は、前記選択した無線通信システムで待ち受け状態に移行することを特徴とする移動通信システム。
【請求項４】
移動局が複数の無線通信システムで通信可能な移動通信システムであって、
前記移動局は、
前記各無線通信システムで無線通信を行う通信手段と、
待ち受け状態において、制御チャネルで通知される前記移動局が属する移動局群を指定する情報に基づいて、自らが属する移動局群を判断する判断手段と、
前記判断手段により前記情報に前記移動局が指定されていると判断された場合にのみ前記複数の無線通信システムからいずれか一つの無線通信システムを選択する第２選択手段と、
待ち受け状態において、待ち受ける無線通信システムを変更する変更手段とを備え、
前記各無線通信システムは、
前記移動局がいずれか一つの無線通信システムを決定するための、前記移動局が属する移動局群を指定する情報を生成する情報生成手段と、
前記待ち受け状態にある移動局に対し、制御チャネルを用いて前記情報生成手段により生成された情報を通知する通知手段とを備え、
前記移動局は、前記選択した無線通信システムが、待ち受け状態にある無線通信システムと異なる場合は、待ち受ける無線通信システムを前記選択した無線通信システムに変更することを特徴とする移動通信システム。
【請求項５】
移動局が複数の無線通信システムで通信可能な移動通信システムであって、
前記移動局は、
前記各無線通信システムで無線通信を行う通信手段と、
サービスエリア内に入った際にアクセスする無線通信システムを記憶する記憶手段と、
一様乱数を生成する乱数生成手段と、
いずれかの無線通信システムにアクセスした際に通知される制御チャネルに含まれる任意の数値と前記生成された一様乱数とを組み合わせて演算を行う演算手段と、
前記制御チャネルに含まれる、前記移動局が属する移動局群を指定する指定情報に基づいて、自らが属する移動局群を判断する判断手段と、
前記判断手段により前記指定情報に前記移動局が指定されていると判断された場合にのみ、前記演算手段により演算された演算結果に基づいて、前記複数の無線通信システムからいずれか一つの無線通信システムを選択する第１選択手段とを備え、
前記各無線通信システムは、
前記移動局がいずれか一つの無線通信システムを決定するための、任意の数値と前記移動局が属する移動局群を指定する指定情報とを含んだ制御情報を生成する情報生成手段と、
前記移動局がアクセスしてきた際、制御チャネルを用いて前記情報生成手段により生成された制御情報を前記移動局に通知する通知手段とを備え、
前記移動局は、前記選択した無線通信システムで待ち受け状態に移行することを特徴とする移動通信システム。
【請求項６】
移動局が複数の無線通信システムで通信可能な移動通信システムであって、
前記移動局は、
前記各無線通信システムで無線通信を行う通信手段と、
一様乱数を生成する乱数生成手段と、
待ち受け状態において、制御チャネルで通知される任意の数値と前記生成された一様乱数とを組み合わせて演算を行う演算手段と、
前記制御チャネルに含まれる、前記移動局が属する移動局群を指定する指定情報に基づいて、自らが属する移動局群を判断する判断手段と、
前記判断手段により前記指定情報に前記移動局が指定されていると判断された場合にのみ、前記演算手段により演算された演算結果に基づいて、前記複数の無線通信システムからいずれか一つの無線通信システムを選択する第２選択手段と、
待ち受け状態において、待ち受ける無線通信システムを変更する変更手段とを備え、
前記各無線通信システムは、
前記移動局がいずれか一つの無線通信システムを決定するための、任意の数値と前記移動局が属する移動局群を指定する指定情報とを含んだ制御情報を生成する情報生成手段と、
前記待ち受け状態にある移動局に対し、制御チャネルを用いて前記情報生成手段により生成された制御情報を通知する通知手段とを備え、
前記移動局は、前記選択した無線通信システムが、待ち受け状態にある無線通信システムと異なる場合は、待ち受ける無線通信システムを前記選択した無線通信システムに変更することを特徴とする移動通信システム。
【請求項７】
前記記憶手段は、予め定められており、他の移動局と同一である無線通信システムを記憶することを特徴とする請求項１、３、および５記載の移動通信システム。
【請求項８】
通信容量が最大である無線通信システムが予め定められていることを特徴とする請求項７記載の移動通信システム。
【請求項９】
複数の無線通信システムで無線通信を行う通信手段と、
サービスエリア内に入った際にアクセスする無線通信システムを記憶する記憶手段と、
一様乱数を生成する乱数生成手段と、
いずれかの無線通信システムにアクセスした際に通知される制御チャネルに含まれる任意の数値と前記生成された一様乱数とを組み合わせて演算を行う演算手段と、
前記演算手段により演算された演算結果に基づいて前記複数の無線通信システムからいずれか一つの無線通信システムを選択する第１選択手段とを備え、
前記演算結果に基づいて前記無線通信システムの選択を行うことを特徴とすることを特徴とする移動局。
【請求項１０】
複数の無線通信システムで無線通信を行う通信手段と、
一様乱数を生成する乱数生成手段と、
待ち受け状態において、制御チャネルで通知される任意の数値と前記生成された一様乱数とを組み合わせて演算を行う演算手段と、
前記演算手段により演算された演算結果に基づいて、前記複数の無線通信システムからいずれか一つの無線通信システムを選択する第２選択手段と、
待ち受け状態において、待ち受ける無線通信システムを変更する変更手段とを備え、
前記演算結果に基づいて前記無線通信システムの選択を行うことを特徴とすることを特徴とする移動局。
【請求項１１】
複数の無線通信システムで無線通信を行う通信手段と、
サービスエリア内に入った際にアクセスする無線通信システムを記憶する記憶手段と、
いずれかの無線通信システムにアクセスした際に通知される制御チャネルに含まれる移動局群を指定する情報に基づいて、自らが属する移動局群を判断する判断手段と、
前記判断手段により前記情報に前記移動局が指定されていると判断された場合にのみ前記複数の無線通信システムからいずれか一つの無線通信システムを選択する第１選択手段とを備え、
前記移動局群が指定されている場合にのみ前記無線通信システムの選択を行うことを特徴とする移動局。
【請求項１２】
複数の無線通信システムで無線通信を行う通信手段と、
待ち受け状態において、制御チャネルで通知される移動局群を指定する情報に基づいて、自らが属する移動局群を判断する判断手段と、
前記判断手段により前記情報に前記移動局が指定されていると判断された場合にのみ前記複数の無線通信システムからいずれか一つの無線通信システムを選択する第２選択手段と、
待ち受け状態において、待ち受ける無線通信システムを変更する変更手段とを備え、
前記移動局群が指定されている場合にのみ前記無線通信システムの選択を行うことを特徴とする移動局。
【請求項１３】
複数の無線通信システムで無線通信を行う通信手段と、
サービスエリア内に入った際にアクセスする無線通信システムを記憶する記憶手段と、
一様乱数を生成する乱数生成手段と、
いずれかの無線通信システムにアクセスした際に通知される制御チャネルに含まれる任意の数値と前記生成された一様乱数とを組み合わせて演算を行う演算手段と、
前記制御チャネルに含まれる、移動局群を指定する情報に基づいて、自らが属する移動局群を判断する判断手段と、
前記判断手段により前記情報に前記移動局が指定されていると判断された場合にのみ、前記演算手段により演算された演算結果に基づいて、前記複数の無線通信システムからいずれか一つの無線通信システムを選択する第１選択手段とを備え、
前記移動局群が指定されている場合にのみ前記演算結果に基づいて前記無線通信システムの選択を行うことを特徴とする移動局。
【請求項１４】
複数の無線通信システムで無線通信を行う通信手段と、
一様乱数を生成する乱数生成手段と、
待ち受け状態において、制御チャネルで通知される任意の数値と前記生成された一様乱数とを組み合わせて演算を行う演算手段と、
前記制御チャネルに含まれる、移動局群を指定する情報に基づいて、自らが属する移動局群を判断する判断手段と、
前記判断手段により前記情報に前記移動局が指定されていると判断された場合にのみ、前記演算手段により演算された演算結果に基づいて、前記複数の無線通信システムからいずれか一つの無線通信システムを選択する第２選択手段と、
待ち受け状態において、待ち受ける無線通信システムを変更する変更手段とを備え、
前記移動局群が指定されている場合にのみ前記演算結果に基づいて前記無線通信システムの選択を行うことを特徴とする移動局。
【請求項１５】
請求項９から請求項１４のいずれか１項に記載された移動局と、
移動局がいずれか一つの無線通信システムを決定するための情報を生成し、制御チャネルを用いて生成した情報を前記移動局に通知する基地局とから構成された移動通信システム。
【請求項１６】
移動局が複数の無線通信システムで通信可能な移動通信方法であって、
前記各無線通信システムが、前記移動局がいずれか一つの無線通信システムを決定するための任意の数値を含んだ情報を生成する情報生成ステップと、前記移動局がアクセスしてきた際、制御チャネルを用いて前記生成された情報を前記移動局に通知する通知ステップとを含み、
前記移動局が、サービスエリア内に入った際にアクセスする無線通信システムを記憶する記憶ステップと、一様乱数を生成する乱数生成ステップと、いずれかの無線通信システムにアクセスした際に通知される制御チャネルに含まれる任意の数値と前記生成された一様乱数とを組み合わせて演算を行う演算ステップと、前記演算ステップにより演算された演算結果に基づいて、前記複数の無線通信システムからいずれか一つの無線通信システムを選択する第１選択ステップと、前記選択した無線通信システムで待ち受け状態に移行するステップを含むことを特徴とする移動通信方法。
【請求項１７】
移動局が複数の無線通信システムで通信可能な移動通信方法であって、
前記各無線通信システムが、前記移動局がいずれか一つの無線通信システムを決定するための任意の数値を含んだ情報を生成する情報生成ステップと、待ち受け状態にある移動局に対し、制御チャネルを用いて前記生成された情報を通知する通知ステップとを含み、
前記移動局が、一様乱数を生成する乱数生成ステップと、待ち受け状態において、制御チャネルで通知される任意の数値と前記生成された一様乱数とを組み合わせて演算を行う演算ステップと、前記演算ステップにより演算された演算結果に基づいて、前記複数の無線通信システムからいずれか一つの無線通信システムを選択する第２選択ステップと、待ち受け状態において、前記選択した無線通信システムが、待ち受け状態にある無線通信システムと異なる場合は、待ち受ける無線通信システムを前記選択した無線通信システムに変更するステップとを含むことを特徴とする移動通信方法。
【請求項１８】
移動局が複数の無線通信システムで通信可能な移動通信方法であって、
前記各無線通信システムが、前記移動局がいずれか一つの無線通信システムを決定するための、前記移動局が属する移動局群を指定する情報を生成する情報生成ステップと、前記移動局がアクセスしてきた際、制御チャネルを用いて前記生成された情報を前記移動局に通知する通知ステップとを含み、
前記移動局が、サービスエリア内に入った際にアクセスする無線通信システムを記憶する記憶ステップと、いずれかの無線通信システムにアクセスした際に通知される制御チャネルに含まれる前記移動局が属する移動局群を指定する情報に基づいて、自らが属する移動局群を判断する判断ステップと、前記判断ステップにより前記情報に前記移動局が指定されていると判断された場合にのみ前記複数の無線通信システムからいずれか一つの無線通信システムを選択する第１選択ステップと、前記選択した無線通信システムで待ち受け状態に移行するステップを含むことを特徴とする移動通信方法。
【請求項１９】
移動局が複数の無線通信システムで通信可能な移動通信方法であって、
前記各無線通信システムが、前記移動局がいずれか一つの無線通信システムを決定するための、前記移動局が属する移動局群を指定する情報を生成する情報生成ステップと、待ち受け状態にある移動局に対し、制御チャネルを用いて前記生成された情報を通知する通知ステップとを含み、
前記移動局が、待ち受け状態において、制御チャネルで通知される前記移動局が属する移動局群を指定する情報に基づいて、自らが属する移動局群を判断する判断ステップと、前記判断ステップにより前記情報に前記移動局が指定されていると判断された場合にのみ前記複数の無線通信システムからいずれか一つの無線通信システムを選択する第２選択ステップと、待ち受け状態において、前記選択した無線通信システムが、待ち受け状態にある無線通信システムと異なる場合は、待ち受ける無線通信システムを前記選択した無線通信システムに変更するステップとを含むことを特徴とする移動通信方法。
【請求項２０】
移動局が複数の無線通信システムで通信可能な移動通信方法であって、
前記各無線通信システムが、前記移動局がいずれか一つの無線通信システムを決定するための、任意の数値と前記移動局が属する移動局群を指定する指定情報とを含んだ制御情報を生成する情報生成ステップと、前記移動局がアクセスしてきた際、制御チャネルを用いて前記生成された制御情報を前記移動局に通知する通知ステップとを含み、
前記移動局が、サービスエリア内に入った際にアクセスする無線通信システムを記憶する記憶ステップと、一様乱数を生成する乱数生成ステップと、いずれかの無線通信システムにアクセスした際に通知される制御チャネルに含まれる任意の数値と前記生成された一様乱数とを組み合わせて演算を行う演算ステップと、前記制御チャネルに含まれる、前記移動局が属する移動局群を指定する指定情報に基づいて、自らが属する移動局群を判断する判断ステップと、前記判断ステップにより前記指定情報に前記移動局が指定されていると判断された場合にのみ、前記演算ステップにより演算された演算結果に基づいて、前記複数の無線通信システムからいずれか一つの無線通信システムを選択する第１選択ステップと、前記選択した無線通信システムで待ち受け状態に移行するステップを含むことを特徴とする移動通信方法。
【請求項２１】
移動局が複数の無線通信システムで通信可能な移動通信方法であって、
前記各無線通信システムが、前記移動局がいずれか一つの無線通信システムを決定するための、任意の数値と前記移動局が属する移動局群を指定する指定情報とを含んだ制御情報を生成する情報生成ステップと、待ち受け状態にある移動局に対し、制御チャネルを用いて前記生成された制御情報を通知する通知ステップとを含み、
前記移動局が、一様乱数を生成する乱数生成ステップと、待ち受け状態において、制御チャネルで通知される任意の数値と前記生成された一様乱数とを組み合わせて演算を行う演算ステップと、前記制御チャネルに含まれる、前記移動局が属する移動局群を指定する指定情報に基づいて、自らが属する移動局群を判断する判断ステップと、前記判断ステップにより前記指定情報に前記移動局が指定されていると判断された場合にのみ、前記演算ステップにより演算された演算結果に基づいて、前記複数の無線通信システムからいずれか一つの無線通信システムを選択する第２選択ステップと、待ち受け状態において、前記選択した無線通信システムが、待ち受け状態にある無線通信システムと異なる場合は、待ち受ける無線通信システムを前記選択した無線通信システムに変更するステップとを含むことを特徴とする移動通信方法。
【発明の詳細な説明】
【０００１】
【発明の属する技術分野】
本発明は、移動局が複数の無線通信システムで通信を行う移動通信システム、移動局、及び移動通信方法に関する。
【０００２】
【従来の技術】
従来、移動局が複数の無線通信システムで通信を行う例として、現在日本国内で商用サービスが提供されているディジタル自動車電話方式（ＰｅｒｓｏｎａｌＤｉｇｉｔａｌ  Ｃｅｌｌｕｌａｒ：ＰＤＣ）がある。このＰＤＣは、８００ＭＨｚ帯域システムと１５００ＭＨｚ帯域システムとを有している。ＰＤＣにおいては、２つのシステムの各周波数帯を使用可能な移動局を多数導入した上で、それらの移動局を２つのシステムに振り分けることによって、トラヒックや処理負荷を２つのシステムに分散させる共用方式が考案されている。
【０００３】
共用方式の実施方法としては、移動局が待ち受けるシステムを一方のシステムに限定した上で、通信開始時に各システムに振り分ける方法が考えられる。ここで、待ち受けるシステムを限定する方法として、▲１▼すべての移動局が待ち受けるシステムを８００ＭＨｚ帯域システム、又は１５００ＭＨｚ帯域システムのうち一方に限定する方法、▲２▼一部の移動局が待ち受けるシステムを８００ＭＨｚ帯域システムに限定し、残りの移動局が待ち受けるシステムを１５００ＭＨｚ帯域システムに限定する方法が考えられる。
【０００４】
【発明が解決しようとする課題】
しかしながら、▲１▼すべての移動局が待ち受けるシステムを８００ＭＨｚ帯域システム、又は１５００ＭＨｚ帯域システムのうち一方に限定する方法では、すべての移動局が同一システムで待ち受け状態および待ち受け状態から通信状態に遷移する際に、制御信号の送受信を行うため、そのシステムの制御チャネルが輻輳する恐れがある。
【０００５】
一方、▲２▼一部の移動局が待ち受けるシステムを８００ＭＨｚ帯域システムに限定し、残りの移動局が待ち受けるシステムを１５００ＭＨｚ帯域システムに限定する方法では、制御信号の分散を図ることはできるものの、システムの制御チャネルの容量に変更が加わった等の理由で、各システムに待ち受ける移動局の比率を変更する必要が生じた場合は、その変更が困難であるという問題がある。
【０００６】
本発明は、このような事情に鑑みてなされたものであり、複数の無線通信システムにおいて共用方式を実施した際に、制御信号がいずれかのシステムに集中することによる制御チャネルの輻輳を回避すること、及び各システムに待ち受ける移動局の比率を柔軟に変更することができる移動通信システム、移動局、及び移動通信方法を提供することを目的とする。
【０００７】
【課題を解決するための手段】
上記目的を達成するため、本発明に係る移動通信システムは、移動局が複数の無線通信システムで通信可能な移動通信システムであって、前記移動局は、前記各無線通信システムで無線通信を行う通信手段と、サービスエリア内に入った際にアクセスする無線通信システムを記憶する記憶手段と、一様乱数を生成する乱数生成手段と、いずれかの無線通信システムにアクセスした際に通知される制御チャネルに含まれる任意の数値と前記生成された一様乱数とを組み合わせて演算を行う演算手段と、前記演算手段により演算された演算結果に基づいて前記複数の無線通信システムからいずれか一つの無線通信システムを選択する第１選択手段とを備え、前記各無線通信システムは、前記移動局がいずれか一つの無線通信システムを決定するための任意の数値を含んだ情報を生成する情報生成手段と、前記移動局がアクセスしてきた際、制御チャネルを用いて前記情報生成手段により生成された情報を前記移動局に通知する通知手段とを備え、前記移動局は、前記選択した無線通信システムで待ち受け状態に移行する構成を採る。
【０００８】
また、本発明に係る移動通信システムは、移動局が複数の無線通信システムで通信可能な移動通信システムであって、前記移動局は、前記各無線通信システムで無線通信を行う通信手段と、一様乱数を生成する乱数生成手段と、待ち受け状態において、制御チャネルで通知される任意の数値と前記生成された一様乱数とを組み合わせて演算を行う演算手段と、前記演算手段により演算された演算結果に基づいて、前記複数の無線通信システムからいずれか一つの無線通信システムを選択する第２選択手段と、待ち受け状態において、待ち受ける無線通信システムを変更する変更手段とを備え、前記各無線通信システムは、
前記移動局がいずれか一つの無線通信システムを決定するための任意の数値を含んだ情報を生成する情報生成手段と、前記待ち受け状態にある移動局に対し、制御チャネルを用いて前記情報生成手段により生成された情報を通知する通知手段とを備え、前記移動局は、前記選択した無線通信システムが、待ち受け状態にある無線通信システムと異なる場合は、待ち受ける無線通信システムを前記選択した無線通信システムに変更する構成を採る。
【０００９】
また、本発明に係る移動通信システムは、移動局が複数の無線通信システムで通信可能な移動通信システムであって、前記移動局は、前記各無線通信システムで無線通信を行う通信手段と、サービスエリア内に入った際にアクセスする無線通信システムを記憶する記憶手段と、いずれかの無線通信システムにアクセスした際に通知される制御チャネルに含まれる前記移動局が属する移動局群を指定する情報に基づいて、自らが属する移動局群を判断する判断手段と、前記判断手段により前記情報に前記移動局が指定されていると判断された場合にのみ前記複数の無線通信システムからいずれか一つの無線通信システムを選択する第１選択手段とを備え、前記各無線通信システムは、前記移動局がいずれか一つの無線通信システムを決定するための、前記移動局が属する移動局群を指定する情報を生成する情報生成手段と、前記移動局がアクセスしてきた際、制御チャネルを用いて前記情報生成手段により生成された情報を前記移動局に通知する通知手段とを備え、前記移動局は、前記選択した無線通信システムで待ち受け状態に移行する構成を採る。
【００１０】
また、本発明に係る移動通信システムは、移動局が複数の無線通信システムで通信可能な移動通信システムであって、前記移動局は、前記各無線通信システムで無線通信を行う通信手段と、待ち受け状態において、制御チャネルで通知される前記移動局が属する移動局群を指定する情報に基づいて、自らが属する移動局群を判断する判断手段と、前記判断手段により前記情報に前記移動局が指定されていると判断された場合にのみ前記複数の無線通信システムからいずれか一つの無線通信システムを選択する第２選択手段と、待ち受け状態において、待ち受ける無線通信システムを変更する変更手段とを備え、前記各無線通信システムは、前記移動局がいずれか一つの無線通信システムを決定するための、前記移動局が属する移動局群を指定する情報を生成する情報生成手段と、前記待ち受け状態にある移動局に対し、制御チャネルを用いて前記情報生成手段により生成された情報を通知する通知手段とを備え、前記移動局は、前記選択した無線通信システムが、待ち受け状態にある無線通信システムと異なる場合は、待ち受ける無線通信システムを前記選択した無線通信システムに変更する構成を採る。
【００１１】
また、本発明の移動通信システムは、移動局が複数の無線通信システムで通信可能な移動通信システムであって、前記移動局は、前記各無線通信システムで無線通信を行う通信手段と、サービスエリア内に入った際にアクセスする無線通信システムを記憶する記憶手段と、一様乱数を生成する乱数生成手段と、いずれかの無線通信システムにアクセスした際に通知される制御チャネルに含まれる任意の数値と前記生成された一様乱数とを組み合わせて演算を行う演算手段と、前記制御チャネルに含まれる、前記移動局が属する移動局群を指定する指定情報に基づいて、自らが属する移動局群を判断する判断手段と、前記判断手段により前記指定情報に前記移動局が指定されていると判断された場合にのみ、前記演算手段により演算された演算結果に基づいて、前記複数の無線通信システムからいずれか一つの無線通信システムを選択する第１選択手段とを備え、前記各無線通信システムは、前記移動局がいずれか一つの無線通信システムを決定するための、任意の数値と前記移動局が属する移動局群を指定する指定情報とを含んだ制御情報を生成する情報生成手段と、前記移動局がアクセスしてきた際、制御チャネルを用いて前記情報生成手段により生成された制御情報を前記移動局に通知する通知手段とを備え、前記移動局は、前記選択した無線通信システムで待ち受け状態に移行する構成を採る。
また、本発明に係る移動通信システムは、移動局が複数の無線通信システムで通信可能な移動通信システムであって、前記移動局は、前記各無線通信システムで無線通信を行う通信手段と、一様乱数を生成する乱数生成手段と、待ち受け状態において、制御チャネルで通知される任意の数値と前記生成された一様乱数とを組み合わせて演算を行う演算手段と、前記制御チャネルに含まれる、前記移動局が属する移動局群を指定する指定情報に基づいて、自らが属する移動局群を判断する判断手段と、前記判断手段により前記指定情報に前記移動局が指定されていると判断された場合にのみ、前記演算手段により演算された演算結果に基づいて、前記複数の無線通信システムからいずれか一つの無線通信システムを選択する第２選択手段と、待ち受け状態において、待ち受ける無線通信システムを変更する変更手段とを備え、前記各無線通信システムは、前記移動局がいずれか一つの無線通信システムを決定するための、任意の数値と前記移動局が属する移動局群を指定する指定情報とを含んだ制御情報を生成する情報生成手段と、前記待ち受け状態にある移動局に対し、制御チャネルを用いて前記情報生成手段により生成された制御情報を通知する通知手段とを備え、前記移動局は、前記選択した無線通信システムが、待ち受け状態にある無線通信システムと異なる場合は、待ち受ける無線通信システムを前記選択した無線通信システムに変更する構成を採る。
【００１２】
また、前記記憶手段は、予め定められており、他の移動局と同一である無線通信システムを記憶する構成を採ってもよい。
【００１３】
また、通信容量が最大である無線通信システムが予め定められている構成を採ってもよい。
【００１４】
また、本発明に係る移動局は、複数の無線通信システムで無線通信を行う通信手段と、サービスエリア内に入った際にアクセスする無線通信システムを記憶する記憶手段と、一様乱数を生成する乱数生成手段と、いずれかの無線通信システムにアクセスした際に通知される制御チャネルに含まれる任意の数値と前記生成された一様乱数とを組み合わせて演算を行う演算手段と、前記演算手段により演算された演算結果に基づいて前記複数の無線通信システムからいずれか一つの無線通信システムを選択する第１選択手段とを備え、前記演算結果に基づいて前記無線通信システムの選択を行う構成を採る。
【００１５】
また、本発明に係る移動局は、複数の無線通信システムで無線通信を行う通信手段と、一様乱数を生成する乱数生成手段と、待ち受け状態において、制御チャネルで通知される任意の数値と前記生成された一様乱数とを組み合わせて演算を行う演算手段と、前記演算手段により演算された演算結果に基づいて、前記複数の無線通信システムからいずれか一つの無線通信システムを選択する第２選択手段と、待ち受け状態において、待ち受ける無線通信システムを変更する変更手段とを備え、前記演算結果に基づいて前記無線通信システムの選択を行う構成を採る。
【００１６】
また、本発明に係る移動局は、複数の無線通信システムで無線通信を行う通信手段と、サービスエリア内に入った際にアクセスする無線通信システムを記憶する記憶手段と、いずれかの無線通信システムにアクセスした際に通知される制御チャネルに含まれる移動局群を指定する情報に基づいて、自らが属する移動局群を判断する判断手段と、前記判断手段により前記情報に前記移動局が指定されていると判断された場合にのみ前記複数の無線通信システムからいずれか一つの無線通信システムを選択する第１選択手段とを備え、前記移動局群が指定されている場合にのみ前記無線通信システムの選択を行う構成を採る。
【００１７】
また、本発明に係る移動局は、複数の無線通信システムで無線通信を行う通信手段と、待ち受け状態において、制御チャネルで通知される移動局群を指定する情報に基づいて、自らが属する移動局群を判断する判断手段と、前記判断手段により前記情報に前記移動局が指定されていると判断された場合にのみ前記複数の無線通信システムからいずれか一つの無線通信システムを選択する第２選択手段と、待ち受け状態において、待ち受ける無線通信システムを変更する変更手段とを備え、前記移動局群が指定されている場合にのみ前記無線通信システムの選択を行う構成を採る。
【００１８】
また、本発明の移動局は、複数の無線通信システムで無線通信を行う通信手段と、サービスエリア内に入った際にアクセスする無線通信システムを記憶する記憶手段と、一様乱数を生成する乱数生成手段と、いずれかの無線通信システムにアクセスした際に通知される制御チャネルに含まれる任意の数値と前記生成された一様乱数とを組み合わせて演算を行う演算手段と、前記制御チャネルに含まれる、移動局群を指定する情報に基づいて、自らが属する移動局群を判断する判断手段と、前記判断手段により前記情報に前記移動局が指定されていると判断された場合にのみ、前記演算手段により演算された演算結果に基づいて、前記複数の無線通信システムからいずれか一つの無線通信システムを選択する第１選択手段とを備え、前記移動局群が指定されている場合にのみ前記演算結果に基づいて前記無線通信システムの選択を行う構成を採る。
【００１９】
また、本発明の移動局は、複数の無線通信システムで無線通信を行う通信手段と、一様乱数を生成する乱数生成手段と、待ち受け状態において、制御チャネルで通知される任意の数値と前記生成された一様乱数とを組み合わせて演算を行う演算手段と、前記制御チャネルに含まれる、移動局群を指定する情報に基づいて、自らが属する移動局群を判断する判断手段と、前記判断手段により前記情報に前記移動局が指定されていると判断された場合にのみ、前記演算手段により演算された演算結果に基づいて、前記複数の無線通信システムからいずれか一つの無線通信システムを選択する第２選択手段と、待ち受け状態において、待ち受ける無線通信システムを変更する変更手段とを備え、前記移動局群が指定されている場合にのみ前記演算結果に基づいて前記無線通信システムの選択を行う構成を採る。
【００２１】
また、本発明に係る移動通信システムは、請求項９から請求項１４のいずれか１項に記載された移動局と、移動局がいずれか一つの無線通信システムを決定するための情報を生成し、制御チャネルを用いて生成した情報を前記移動局に通知する基地局とから構成される。
【００２２】
また、本発明に係る移動通信方法は、移動局が複数の無線通信システムで通信可能な移動通信方法であって、前記各無線通信システムが、前記移動局がいずれか一つの無線通信システムを決定するための任意の数値を含んだ情報を生成する情報生成ステップと、前記移動局がアクセスしてきた際、制御チャネルを用いて前記生成された情報を前記移動局に通知する通知ステップとを含み、前記移動局が、サービスエリア内に入った際にアクセスする無線通信システムを記憶する記憶ステップと、一様乱数を生成する乱数生成ステップと、いずれかの無線通信システムにアクセスした際に通知される制御チャネルに含まれる任意の数値と前記生成された一様乱数とを組み合わせて演算を行う演算ステップと、前記演算ステップにより演算された演算結果に基づいて、前記複数の無線通信システムからいずれか一つの無線通信システムを選択する第１選択ステップと、前記選択した無線通信システムで待ち受け状態に移行するステップを含む構成を採る。
【００２３】
また、本発明に係る移動通信方法は、移動局が複数の無線通信システムで通信可能な移動通信方法であって、前記各無線通信システムが、前記移動局がいずれか一つの無線通信システムを決定するための任意の数値を含んだ情報を生成する情報生成ステップと、待ち受け状態にある移動局に対し、制御チャネルを用いて前記生成された情報を通知する通知ステップとを含み、前記移動局が、一様乱数を生成する乱数生成ステップと、待ち受け状態において、制御チャネルで通知される任意の数値と前記生成された一様乱数とを組み合わせて演算を行う演算ステップと、前記演算ステップにより演算された演算結果に基づいて、前記複数の無線通信システムからいずれか一つの無線通信システムを選択する第２選択ステップと、待ち受け状態において、前記選択した無線通信システムが、待ち受け状態にある無線通信システムと異なる場合は、待ち受ける無線通信システムを前記選択した無線通信システムに変更するステップとを含む構成を採る。
また、本発明に係る移動通信方法は、移動局が複数の無線通信システムで通信可能な移動通信方法であって、前記各無線通信システムが、前記移動局がいずれか一つの無線通信システムを決定するための、前記移動局が属する移動局群を指定する情報を生成する情報生成ステップと、前記移動局がアクセスしてきた際、制御チャネルを用いて前記生成された情報を前記移動局に通知する通知ステップとを含み、前記移動局が、サービスエリア内に入った際にアクセスする無線通信システムを記憶する記憶ステップと、いずれかの無線通信システムにアクセスした際に通知される制御チャネルに含まれる前記移動局が属する移動局群を指定する情報に基づいて、自らが属する移動局群を判断する判断ステップと、前記判断ステップにより前記情報に前記移動局が指定されていると判断された場合にのみ前記複数の無線通信システムからいずれか一つの無線通信システムを選択する第１選択ステップと、前記選択した無線通信システムで待ち受け状態に移行するステップを含む構成を採る。
また、本発明に係る移動通信方法は、移動局が複数の無線通信システムで通信可能な移動通信方法であって、前記各無線通信システムが、前記移動局がいずれか一つの無線通信システムを決定するための、前記移動局が属する移動局群を指定する情報を生成する情報生成ステップと、待ち受け状態にある移動局に対し、制御チャネルを用いて前記生成された情報を通知する通知ステップとを含み、前記移動局が、待ち受け状態において、制御チャネルで通知される前記移動局が属する移動局群を指定する情報に基づいて、自らが属する移動局群を判断する判断ステップと、前記判断ステップにより前記情報に前記移動局が指定されていると判断された場合にのみ前記複数の無線通信システムからいずれか一つの無線通信システムを選択する第２選択ステップと、待ち受け状態において、前記選択した無線通信システムが、待ち受け状態にある無線通信システムと異なる場合は、待ち受ける無線通信システムを前記選択した無線通信システムに変更するステップとを含む構成を採る。
また、本発明に係る移動通信方法は、移動局が複数の無線通信システムで通信可能な移動通信方法であって、前記各無線通信システムが、前記移動局がいずれか一つの無線通信システムを決定するための、任意の数値と前記移動局が属する移動局群を指定する指定情報とを含んだ制御情報を生成する情報生成ステップと、前記移動局がアクセスしてきた際、制御チャネルを用いて前記生成された制御情報を前記移動局に通知する通知ステップとを含み、前記移動局が、サービスエリア内に入った際にアクセスする無線通信システムを記憶する記憶ステップと、一様乱数を生成する乱数生成ステップと、いずれかの無線通信システムにアクセスした際に通知される制御チャネルに含まれる任意の数値と前記生成された一様乱数とを組み合わせて演算を行う演算ステップと、前記制御チャネルに含まれる、前記移動局が属する移動局群を指定する指定情報に基づいて、自らが属する移動局群を判断する判断ステップと、前記判断ステップにより前記指定情報に前記移動局が指定されていると判断された場合にのみ、前記演算ステップにより演算された演算結果に基づいて、前記複数の無線通信システムからいずれか一つの無線通信システムを選択する第１選択ステップと、前記選択した無線通信システムで待ち受け状態に移行するステップを含む構成を採る。
また、本発明に係る移動通信方法は、移動局が複数の無線通信システムで通信可能な移動通信方法であって、前記各無線通信システムが、前記移動局がいずれか一つの無線通信システムを決定するための、任意の数値と前記移動局が属する移動局群を指定する指定情報とを含んだ制御情報を生成する情報生成ステップと、待ち受け状態にある移動局に対し、制御チャネルを用いて前記生成された制御情報を通知する通知ステップとを含み、前記移動局が、一様乱数を生成する乱数生成ステップと、待ち受け状態において、制御チャネルで通知される任意の数値と前記生成された一様乱数とを組み合わせて演算を行う演算ステップと、前記制御チャネルに含まれる、前記移動局が属する移動局群を指定する指定情報に基づいて、自らが属する移動局群を判断する判断ステップと、前記判断ステップにより前記指定情報に前記移動局が指定されていると判断された場合にのみ、前記演算ステップにより演算された演算結果に基づいて、前記複数の無線通信システムからいずれか一つの無線通信システムを選択する第２選択ステップと、待ち受け状態において、前記選択した無線通信システムが、待ち受け状態にある無線通信システムと異なる場合は、待ち受ける無線通信システムを前記選択した無線通信システムに変更するステップとを含む構成を採る。
【００２４】
これらの構成により、移動局が、無線通信システムにアクセスした際に制御チャネルで通知される情報に基づいて待ち受ける無線通信システムを選択すること、又は待ち受け状態において制御チャネルで通知される情報に基づいて待ち受ける無線通信システムを変更することができるので、特定の無線通信システムへの制御信号集中による制御チャネルの輻輳を回避し、各無線通信システムで待ち受ける移動局比率の柔軟な変更が可能となる。また、移動局が確率的に無線通信システムの選択を行うので、特定の移動局に無線通信システムの移行に伴う負荷が集中する恐れを回避することができる。また、各移動局群に無線通信システムの移行を通知する地点を各々異なる地点に設定することによって、移動局の無線通信システムの移行に伴うシステムへの負荷を位置的に分散させることが可能となる。また、すべての移動局が無線通信システムにアクセスした際に、予め定められた無線通信システムの制御チャネルで通知される情報に基づいて待ち受ける無線通信システムを選択することができるので、各無線通信システムで待ち受ける移動局比率の制御が容易となる。さらに、その無線通信システムを通信容量が大きいシステムとすることによって、移動局のシステム移行に伴う無線通信システムの負荷を軽減することが可能となる。
【００２５】
【発明の実施の形態】
（実施の形態１）
図１は、本発明の実施の形態１に係る移動通信システムの概念を示す図である。基地局１０１は、アンテナ１０１ａと図示しない周波数帯Ａの変復調装置とを備えており、サービスエリア１０２を形成する。この基地局１０１により周波数帯Ａの無線通信システムが構成される。また、基地局１０３は、アンテナ１０３ａと図示しない周波数帯Ｂの変復調装置とを備えており、サービスエリア１０４を形成する。この基地局１０３により周波数帯Ｂの無線通信システムが構成される。基地局１０１と基地局１０３とは、共通のネットワーク１０５により制御されている。移動局１０６は、アンテナ１０６ａと図示しない周波数帯Ａ及び周波数帯Ｂの変復調装置を備えており、基地局１０１又は基地局１０３のいずれか一方と信号の送受信を行う。
【００２６】
図２は、実施の形態１に係る移動通信システムにおける移動局の概略を示す図である。図２に示すように、移動局は、無線区間に対する移動局の送受信信号の変復調、符号化等を行う周波数帯Ａ、及び周波数帯Ｂのそれぞれの無線部８０１、８０２と、基地局から受信した信号の内容を解析する信号解析部８０３と、信号解析部８０３の解析の結果を保持する不揮発性メモリである情報記憶部８０４と、信号解析部８０３と情報記憶部８０４から情報を受信した場合に送信制御を行う送信制御部８０５とを備えている。周波数帯Ａの無線部８０１と周波数帯Ｂの無線部８０２とを切り替えることによって、周波数帯Ａと周波数帯Ｂとの両方を使用することが可能である。
【００２７】
図３は、周波数帯Ａの信号を取扱う基地局の概略を示す図であり、図４は、周波数帯Ｂの信号を取扱う基地局の概略を示す図である。図３及び図４に示すように、各基地局は、無線区間に対する移動局の送受信信号の変復調、符号化を行う無線部９０１、１００１と、移動局あるいはネットワークから受信した信号の内容を解析する信号解析部９０２、１００２と、信号解析部９０２、１００２から情報を受け取った場合に送信制御を行う第１送信制御部９０３、１００３と、ネットワークから情報を受け取った場合に送信制御を行う第２送信制御部９０４、１００４とを備えている。
【００２８】
図５は、実施の形態１に係る移動通信システムにおける移動局の動作を示すフローチャートである。移動局は、電源が投入されるか、又はサービスエリアの外からサービスエリア内に復帰することによって本フローチャートによる動作を開始する（ステップＳ１０１）。移動局は、自らが記憶している周波数帯を判定し（ステップＳ１０２）、判定の結果、周波数帯Ａである場合は周波数帯Ａのいわゆる「とまり木チャネル」のスキャンを行い（ステップＳ１０３）、周波数帯Ｂである場合は周波数帯Ｂの「とまり木チャネル」のスキャンを行う（ステップＳ１１５）。
【００２９】
ステップＳ１０３において、周波数帯Ａのとまり木チャネルのスキャンを行った移動局は、周波数帯Ａのとまり木チャネルを捕捉した後（ステップＳ１０４）、そのとまり木チャネルで周波数帯移行確率と移動局群情報とを受信する（ステップＳ１０５）。次に、移動局は、ステップＳ１０５で受信した移動局群情報において、自らが属する移動局群のビットが「１」であるか否かを判定する（ステップＳ１０６）。「１」である場合は、「０〜９９」の整数値をとる一様乱数を生成する（ステップＳ１０７）。一方、「０」である場合は、記憶周波数帯に「Ａ」を書き込んだ後（ステップＳ１１３）、周波数帯Ａで待ち受け状態に入る（ステップＳ１１４）。
【００３０】
ステップＳ１０７において、一様乱数を生成した移動局は、生成した一様乱数とステップＳ１０５で受信した周波数帯移行確率の大小関係を比較して（ステップＳ１０８）、生成した一様乱数が周波数帯移行確率よりも小さい場合は、周波数帯Ｂのとまり木チャネルのスキャンを行う（ステップＳ１０９）。一方、生成した一様乱数が周波数帯移行確率以上である場合は、記憶周波数帯に「Ａ」を書き込んだ後（ステップＳ１１３）、周波数帯Ａで待ち受け状態に入る（ステップＳ１１４）。
【００３１】
ステップＳ１０９において、周波数帯Ｂのとまり木チャネルのスキャンを行った移動局は、周波数帯Ｂのとまり木チャネルを捕捉し（ステップＳ１１０）、記憶周波数帯に「Ｂ」を書き込んだ後（ステップＳ１１１）、周波数帯Ｂで待ち受け状態に移行する（ステップＳ１１２）。
【００３２】
一方、ステップＳ１１５において、周波数帯Ｂのとまり木チャネルのスキャンを行った移動局は、周波数帯Ｂのとまり木チャネルを捕捉した後（ステップＳ１１６）、そのとまり木チャネルで周波数帯移行確率と移動局群情報とを受信する（ステップＳ１１７）。次に、移動局は、ステップＳ１１７で受信した移動局群情報において、自らが属する移動局群のビットが「１」であるか否かを判定する（ステップＳ１１８）。「１」である場合は、「０〜９９」の整数値をとる一様乱数を生成する（ステップＳ１１９）。「０」である場合は、記憶周波数帯に「Ｂ」を書き込んだ後（ステップＳ１２５）、周波数帯Ｂで待ち受け状態に移行する（ステップＳ１２６）。
【００３３】
ステップＳ１１９において、一様乱数を生成した移動局は、生成した一様乱数とステップＳ１１７で受信した周波数帯移行確率の大小関係を比較して（ステップＳ１２０）、生成した一様乱数が周波数帯移行確率よりも小さい場合は、周波数帯Ａのとまり木チャネルのスキャンを行う（ステップＳ１２１）。生成した一様乱数が周波数帯移行確率以上である場合は、記憶周波数帯に「Ｂ」を書き込んだ後（ステップＳ１２５）、周波数帯Ｂで待ち受け状態に移行する（ステップＳ１２６）。ステップＳ１２１において、周波数帯Ａのとまり木チャネルのスキャンを行った移動局は、周波数帯Ａのとまり木チャネルを捕捉し（ステップＳ１２２）、記憶周波数帯に「Ａ」を書き込んだ後（ステップＳ１２３）、周波数帯Ａで待ち受け状態に移行する（ステップＳ１２４）。
【００３４】
図６は、実施の形態１に係る移動通信システムにおける移動局が記憶する情報を示す図である。図６に示すように、移動局は、記憶周波数帯３０１として「Ａ」又は「Ｂ」を自らが備える不揮発性メモリに記憶する。
【００３５】
図７は、実施の形態１に係る移動通信システムにおいて、とまり木チャネルで通知する情報を示す図である。図７に示すように、移動通信システムでは、０〜１００の整数値をとる周波数帯移行確率４０１と、移動局群情報として移動局群１〜Ｎのそれぞれに対して「０」又は「１」をとるビット４０２とを移動局に対し、とまり木チャネルで通知する。
【００３６】
図８は、実施の形態１において、周波数帯Ａで待ち受け状態にある移動局の動作を示すフローチャートである。このフローチャートは、移動局が周波数帯Ａで待ち受けている状態から開始する（ステップＳ４０１）。移動局は、周波数帯Ａの制御チャネルで周波数帯移行確率と移動局群情報を受信する（ステップＳ４０２）。次に、移動局は、ステップＳ４０２で受信した移動局群情報において、自らが属する移動局群のビットが「１」であるか否かを判定する（ステップＳ４０３）。「１」である場合は、０〜９９の整数値をとる一様乱数を生成し（ステップＳ４０４）、「０」である場合は、記憶周波数帯に「Ａ」を書き込んだ後（ステップＳ４１０）、周波数帯Ａで待ち受け状態に移行する（ステップＳ４１１）。
【００３７】
ステップＳ４０４で一様乱数を生成した移動局は、生成した一様乱数とステップＳ４０２で受信した周波数帯移行確率の大小関係を比較する（ステップＳ４０５）。生成した一様乱数が周波数帯移行確率よりも小さい場合は、周波数帯Ｂのとまり木チャネルのスキャンを行う（ステップＳ４０６）。生成した一様乱数が周波数帯移行確率以上である場合は、記憶周波数帯に「Ａ」を書き込んだ後（ステップＳ４１０）、周波数帯Ａで待ち受け状態に移行する（ステップＳ４１１）。
【００３８】
ステップＳ４０６で周波数帯Ｂのとまり木チャネルのスキャンを行った移動局は、周波数帯Ｂのとまり木チャネルを捕捉し（ステップＳ４０７）、記憶周波数帯に「Ｂ」を書き込んだ後（ステップＳ４０８）、周波数帯Ｂで待ち受け状態に移行する（ステップＳ４０９）。
【００３９】
図９は、実施の形態１において、周波数帯Ｂで待ち受け状態にある移動局の動作を示すフローチャートである。このフローチャートは、移動局が周波数帯Ｂで待ち受けている状態から開始する（ステップＳ５０１）。移動局は、周波数帯Ｂの制御チャネルで周波数帯移行確率と移動局群情報を受信する（ステップＳ５０２）。次に、移動局は、ステップＳ５０２で受信した移動局群情報において、自らが属する移動局群のビットが「１」であるか否かを判定する（ステップＳ５０３）。ここで、移動局群の算出方法の例として、移動局番号の下位２オクテットを群分け数で除算した剰余を移動局群とする等の方法が挙げられる。このような移動局群の算出方法は、ＰＤＣ等で一般に行われている手順であるため、詳細な説明を省略する。
【００４０】
ステップＳ５０３の判定の結果、自らが属する移動局群のビットが「１」である場合は、「０〜９９」の整数値をとる一様乱数を生成し（ステップＳ５０４）する。「０」である場合は、記憶周波数帯に「Ｂ」を書き込んだ後（ステップＳ５１０）、周波数帯Ｂで待ち受け状態に入る（ステップＳ５１１）。
【００４１】
ステップＳ５０４で一様乱数を生成した移動局は、生成した一様乱数とステップＳ５０２で受信した周波数帯移行確率の大小関係を比較する（ステップＳ５０５）。生成した一様乱数が周波数帯移行確率よりも小さければ周波数帯Ａのとまり木チャネルのスキャンを行う（ステップＳ５０６）。生成した一様乱数が周波数帯移行確率以上である場合は、記憶周波数帯に「Ｂ」を書き込んだ後（ステップＳ５１０）、周波数帯Ｂで待ち受け状態に入る（ステップＳ５１１）。
【００４２】
ステップＳ５０６において周波数帯Ａのとまり木チャネルのスキャンを行った移動局は、周波数帯Ａのとまり木チャネルを捕捉し（ステップＳ５０７）、記憶周波数帯に「Ａ」を書き込んだ後（ステップＳ５０８）、周波数帯Ａで待ち受け状態に移行する（ステップＳ５０９）。
【００４３】
図１０は、実施の形態１に係る移動通信システムにおいて、制御チャネルで移動局に通知する情報を示す図である。図１０に示すように、移動通信システムは、０〜１００の整数値をとる周波数帯移行確率７０１と、移動局群情報として移動局群１〜Ｎのそれぞれに対して「０」又は「１」をとるビット７０２をとまり木チャネルで移動局に対して通知する。
【００４４】
このように、実施の形態１によれば、移動局がとまり木チャネルで通知される情報に基づいて待ち受ける周波数帯を選択するため、各周波数帯に移動局を振り分ける制御が可能となる。この制御を行うことによって、一方の無線通信システムに制御信号が集中することによる制御チャネルの輻輳を回避することができる。また、待ち受け状態において制御チャネルで通知される情報に基づいて待ち受ける無線通信システムを変更することができるので、特定の無線通信システムへの制御信号集中による制御チャネルの輻輳を回避し、各無線通信システムで待ち受ける移動局比率の柔軟な変更が可能となる。また、移動局が確率的に無線通信システムの選択を行うので、特定の移動局が周波数帯移行の対象となってその移動局に周波数帯移行に伴う負荷が集中する恐れがなくなる。さらに、移動局を群分けした上で、各移動局群が周波数帯移行を行う地点を異なる地点に設定することによって、移動局が周波数帯移行を行うことによる無線通信システムへの負荷が特定の地点に集中することを回避することが可能となる。
【００４５】
（実施の形態２）
実施の形態２では、電源投入時、又はサービスエリア外からサービスエリア内への復帰時の移動局の動作、移動通信システムにおいてとまり木チャネルで移動局に通知する情報、移動局及び基地局の構成、移動通信システムの構成は、実施の形態１と同様である。このため、重複する説明を省略する。
【００４６】
図１１は、とまり木チャネルのスキャンを行う周波数帯が周波数帯Ａに限定された移動局の記憶周波数帯を示す図であり、図１２は、とまり木チャネルのスキャンを行う周波数帯が周波数帯Ｂに限定された移動局の記憶周波数帯を示す図である。サービスエリアに導入するすべての移動局の記憶周波数帯を図１１又は図１２のいずれか一方にすると、すべての移動局が一方のとまり木チャネルで通知される情報に基づいて待ち受け帯域を選択するため、各周波数帯で待ち受ける移動局の比率制御が容易になる。
【００４７】
さらに、周波数帯Ａの無線通信システムが周波数帯Ｂの無線通信システムよりも通信容量が大きい場合には、サービスエリアに導入するすべての移動局の記憶周波数帯を図１１に示す周波数帯Ａとし、周波数帯Ｂの無線通信システムが周波数帯Ａの無線通信システムよりも通信容量が大きい場合には、サービスエリアに導入するすべての移動局の記憶周波数帯を図１２に示す周波数帯Ｂとする。これにより、無線通信システムの通信容量が大きい方のサービスエリアでより多くの移動局が待ち受ける運用が一般的であると考えられるため、とまり木チャネルのスキャンを行った移動局が周波数帯移行を行う頻度が低減され、周波数帯移行に伴う無線通信システムの負荷が軽減される。
【００４８】
なお、以上の説明においては、周波数帯Ａ又は周波数帯Ｂのとまり木チャネルのスキャンを行った場合、とまり木チャネルの捕捉を失敗することが想定される。移動局が複数の無線通信システムの各周波数を記憶していることを前提とすると、記憶周波数帯のスキャンを失敗した場合は、移動局に記憶されている他のシステムの周波数でスキャンを実行するものとする。その結果、すべてのスキャンを失敗した場合は、「圏外」として取扱い、スキャンを成功した場合は、その周波数帯で待ち受けを行うものとする。また、周波数帯移行後にスキャンを失敗した場合は、記憶周波数帯で待ち受けを行うものとする。
【００４９】
また、以上の説明では、同一通信方式を用いた例を示したが、本発明は、これに限定されるわけではなく、異なる通信方式、例えば、ＰＤＣ及びＰＨＳに対しても適用可能である。
【００５１】
【発明の効果】
以上説明したように、本発明は、移動局が、無線通信システムにアクセスした際に制御チャネルで通知される情報に基づいて待ち受ける無線通信システムを選択すること、又は待ち受け状態において制御チャネルで通知される情報に基づいて待ち受ける無線通信システムを変更することができるので、特定の無線通信システムへの制御信号集中による制御チャネルの輻輳を回避し、各無線通信システムで待ち受ける移動局比率の柔軟な変更が可能となる。また、移動局が確率的に無線通信システムの選択を行うので、特定の移動局に無線通信システムの移行に伴う負荷が集中する恐れを回避することができる。また、各移動局群に無線通信システムの移行を通知する地点を各々異なる地点に設定することによって、移動局の無線通信システムの移行に伴うシステムへの負荷を位置的に分散させることが可能となる。また、すべての移動局が無線通信システムにアクセスした際に、予め定められた無線通信システムの制御チャネルで通知される情報に基づいて待ち受ける無線通信システムを選択することができるので、各無線通信システムで待ち受ける移動局比率の制御が容易となる。さらに、その無線通信システムを通信容量が大きいシステムとすることによって、移動局のシステム移行に伴う無線通信システムの負荷を軽減することが可能となる。
【図面の簡単な説明】
【図１】本発明の実施の形態１に係る移動通信システムの概念を示す図である。
【図２】実施の形態１に係る移動通信システムにおける移動局の概略を示す図である。
【図３】周波数帯Ａの信号を取扱う基地局の概略を示す図である。
【図４】周波数帯Ｂの信号を取扱う基地局の概略を示す図である。
【図５】実施の形態１に係る移動通信システムにおける移動局の動作を示すフローチャートである。
【図６】実施の形態１に係る移動通信システムにおける移動局が記憶する情報を示す図である。
【図７】実施の形態１に係る移動通信システムにおいて、とまり木チャネルで通知する情報を示す図である。
【図８】実施の形態１において、周波数帯Ａで待ち受け状態にある移動局の動作を示すフローチャートである。
【図９】実施の形態１において、周波数帯Ｂで待ち受け状態にある移動局の動作を示すフローチャートである。
【図１０】実施の形態１に係る移動通信システムにおいて、制御チャネルで移動局に通知する情報を示す図である。
【図１１】とまり木チャネルのスキャンを行う周波数帯が周波数帯Ａに限定された移動局の記憶周波数帯を示す図である。
【図１２】とまり木チャネルのスキャンを行う周波数帯が周波数帯Ｂに限定された移動局の記憶周波数帯を示す図である。
【符号の説明】
１０１…基地局、１０１ａ…アンテナ、１０２…サービスエリア、１０３…基地局、１０３ａ…アンテナ、１０４…サービスエリア、１０５…ネットワーク、１０６…移動局、１０６ａ…アンテナ、３０１…記憶周波数帯、４０１…周波数帯移行確率、４０２…ビット、７０１…周波数帯移行確率、７０２…ビット、８０１…無線部、８０２…無線部、８０３…信号解析部、８０４…情報記憶部、８０５…送信制御部、９０１…無線部、９０２…信号解析部、９０３…第１送信制御部、９０４…第２送信制御部、１００１…無線部、１００２…信号解析部、１００３…第１送信制御部、１００４…第２送信制御部。
【図１】
0003771449.tif 000002
【図２】
0003771449.tif 000003
【図３】
0003771449.tif 000004
【図４】
0003771449.tif 000005
【図５】
0003771449.tif 000006
【図６】
0003771449.tif 000007
【図７】
0003771449.tif 000008
【図８】
0003771449.tif 000009
【図９】
0003771449.tif 000010
【図１０】
0003771449.tif 000011
【図１１】
0003771449.tif 000012
【図１２】
0003771449.tif 000013